(57)【要約】【課題】  一層の低背化を図ることが可能であると共に、簡易に組み立てることが可能な磁気素子を提供すること。【解決手段】  絶縁被膜を有する導体を巻回することにより形成され、中心部に挿通孔４２を備えるコイル４０と、第１の板状部３２および柱脚部３１を備えると共に、この柱脚部３１がコイル４０の挿通孔４２に位置する状態で配置される第１のコア３０と、柱脚部３１に突き合わされる第２の板状部２１を備える第２のコア２０と、切欠部２４が配置されていることによりコイル４０を間欠的に囲むと共に、第１の板状部３２または第２の板状部２１のいずれか一方に対して一体的に設けられている側壁部２２と、切欠部２４から引き出されるコイル４０の端末４１が接続される端子電極５０と、を具備している。【選択図】  図１
2007019175.tif 000002
【特許請求の範囲】
【請求項１】
絶縁被膜を有する導体を巻回することにより形成され、中心部に挿通孔を備えるコイルと、
第１の板状部および柱脚部を備えると共に、この柱脚部が上記コイルの上記挿通孔に位置する状態で配置される第１のコアと、
上記柱脚部に突き合わされる第２の板状部を備える第２のコアと、
切欠部が配置されていることにより上記コイルを間欠的に囲むと共に、上記第１の板状部または上記第２の板状部のいずれか一方に対して一体的に設けられている側壁部と、
上記切欠部から引き出される上記コイルの端末が接続される端子電極と、
を具備することを特徴とする磁気素子。
【請求項２】
前記第１のコアは、その外観がＴ字形状を呈するＴ字型コアであり、
前記第２の板状部と前記側壁部とは一体的に設けられていて、
前記第２のコアは、前記第２の板状部と前記側壁部とによって囲まれるポット部を具備していて、このポット部には、上記Ｔ字型コアが収容される、
ことを特徴とする請求項１記載の磁気素子。
【請求項３】
前記側壁部の内周面には、前記第１の板状部の外周面に当接して該第１の板状部の位置決めを行う係止部が設けられていることを特徴とする請求項１記載の磁気素子。
【発明の詳細な説明】
【技術分野】
【０００１】
本発明は、各種電子機器の回路基板に実装される磁気素子に関する。
【背景技術】
【０００２】
従来より、ドラム型コアの巻軸にコイルが巻回され、ドラム型のコアの一方の鍔部（板状部）に平面状の実装端子が取り付けられた構成を有する、面実装タイプのインダクタが存在する。このようなタイプのインダクタとしては、特許文献１および２に開示の構成が存在する。このうち、特許文献１には、ドラム型コアに巻回された巻線の端部をリング型コアの上方に引き出し、リング型コアの上面において端子電極と半田等によって接続する構成が開示されている。
【０００３】
また、特許文献２には、リング型コアを２分割し、その分割されている境界に位置する隙間部分から巻線の端末を引き出している構成が開示されている。この構成では、引き出された端末を、リング型コアの外周面と下面に亘って存在する端子電極に対して半田等で接続している。
【特許文献１】特開２００１−３３２４２５号公報（要約、図１、図２参照）
【特許文献２】特開２００４−００６６０６号公報（要約、各図参照）
【発明の開示】
【発明が解決しようとする課題】
【０００４】
ところで、上述の特許文献１に開示されている構成では、リング型コアの上面に端子電極を折り曲げ等で配置し、さらにその端子電極の上部に端末を位置させた状態で、半田等で両者を接続している。このため、端子電極、端末および半田等の盛り上がり部分が、リング型コアの上面に存在する状態となり、磁気素子の低背化の要請に反する状態となっている。
【０００５】
これに対して、特許文献２に開示されている構成では、２分割されたリング型コアの境界部分から、巻線の端末を引き出し、リング型コアの外周面に配置されている端子電極に対して端末を半田等で接続している。そのため、一定の低背化は図れる。しかしながら、近年では、磁気素子に対して、より一層の低背化の要請があり、かかる一層の低背化は、特許文献２に開示されている構成では、実現することが難しい。
【０００６】
すなわち、一対の鍔部と、該鍔部によって囲まれる巻枠部とを有するドラム型コアは、円柱状の磁性部材を切削するか、またはプレス成型するかによって、形成されている。しかしながら、磁気素子の低背化が一層進展する場合、プレス成型によって巻枠部を形成することは、離型性が悪化する等の面から、難しくなる。そのため、一般には、円柱状のコア部材を切削することによって、鍔部および巻枠部を形成している。
【０００７】
ここで、切削加工によって、ドラム型コアの低背化を達成する場合、切削工具や保持治具を、低背化に対応させた微細加工用とする必要がある。しかしながら、かかる切削工具や保持治具の低背化への対応には、限界がある。また、微細加工に対応した切削工具や保持治具は高価であり、コスト低減の要請に反する状態となっている。また、切削加工により低背化が為されたドラム型コアを形成する場合、鍔部や巻枠部の寸法管理も難しくなる。
【０００８】
また、小型化が進展した場合でも、巻枠部はなるべく大きくした方が、巻線の巻回数を稼げ、インダクタンス値が増加するために好ましい。しかしながら、切削に際しては、静止状態よりも、より大きな荷重が切削対象物に与えられる。そのため、ドラム型コアの低背化を図ろうとしても、強度面を考慮すると、鍔部の厚みを一定以上の値とする必要がある。そのため、鍔部の薄型化にも限界があり、磁気素子の低背化を図る上での妨げとなっている。
【０００９】
また、特許文献２に開示されている構成では、２分割されたリングコアと、ドラム型コアとを具備しており、合計３つの磁性部材を有する状態となっている。かかる磁気素子を組み立てる場合、２分割されたリングコアとドラム型コアとの間のギャップを正確に管理しながら、樹脂等の接着剤を固化させている。そのため、磁気素子を組み立てる際の工数が多くなり、その製造にコストがかかる状態となっている。
【００１０】
本発明は上記の事情にもとづきなされたもので、その目的とするところは、一層の低背化を図ることが可能であると共に、簡易に組み立てることが可能な磁気素子を提供しよう、とするものである。
【課題を解決するための手段】
【００１１】
上記課題を解決するために、本発明は、絶縁被膜を有する導体を巻回することにより形成され、中心部に挿通孔を備えるコイルと、第１の板状部および柱脚部を備えると共に、この柱脚部がコイルの挿通孔に位置する状態で配置される第１のコアと、柱脚部に突き合わされる第２の板状部を備える第２のコアと、切欠部が配置されていることによりコイルを間欠的に囲むと共に、記第１の板状部または第２の板状部のいずれか一方に対して一体的に設けられている側壁部と、切欠部から引き出される巻線の端末が接続される端子電極と、を具備するものである。
【００１２】
このように構成した場合には、第１のコアが備える柱脚部と、第２のコアが備える第２の板状部とは突き合わされる。かかる突き合わせによって、第１の板状部、柱脚部および第２の板状部とによって、巻枠部が形成される状態となる。ここで、第１のコアの柱脚部は、コイルの挿通孔に挿通され、該柱脚部の周囲にコイルが配置される状態となる。また、コイルの端末は、切欠部から引き出され、端子電極に接続される。
【００１３】
このようにすれば、第１のコアと第２のコアとは、それぞれ板状部を備える状態となり、ドラム型コアのように２つの板状部を同時に備える状態とはならない。このため、第１のコアおよび第２のコアは、２つの板状部を同時に備えるドラム型コアを形成する場合よりも、磁性粉末のプレス加工における離型性が良好となり、プレス加工による形成が容易となる。すなわち、第１のコアおよび第２のコアのプレス加工と、その後の両者の突き合わせによって、巻枠部を形成することが可能となる。
【００１４】
ここで、切削工具および保持治具においては、低背化への対応に一定の限界があるが、上述のように、プレス加工とその後の突き合わせによって巻枠部を形成することができるため、磁気素子の、より一層の低背化を図ることが可能となる。また、プレス加工とその後の突き合わせによって巻枠部が形成されるため、微細加工に対応した切削工具や保持治具を用いずに済む。そのため、低背化が為された磁気素子を製造する場合の製造コストを低減することが可能となる。また、切削加工を行わないため、鍔部（板状部）や巻枠部の寸法管理が容易となる。さらに、プレス加工により第１のコアおよび第２のコアを形成することができるため、切削によって巻枠部を形成する場合と比較して、磁気素子を大量に生産することが可能となる。
【００１５】
また、巻枠部の形成に際して、切削を行わないため、第１のコアおよび第２のコアには、切削時のような大きな荷重が付与されない。そのため、第１の板状部および第２の板状部の薄型化を図っても、強度面での不安を低減することができる。それにより、第１の板状部および第２の板状部の一層の薄型化を図ることが可能となる。それによっても、磁気素子の一層の低背化を実現可能となる。また、本発明の磁気素子は、第１のコアと第２のコアという２つの磁性部材を具備している。そのため、３つ以上の磁性部材を具備する構成と比較して、位置決め固定が容易となり、磁気素子の組み立て工数を低減することが可能となる。そのため、磁気素子の製造コストを低減することが可能となる。
【００１６】
また、他の発明は、上述の発明に加えて更に、第１のコアは、その外観がＴ字形状を呈するＴ字型コアであり、第２の板状部と側壁部とは一体的に設けられていて、第２のコアは、第２の板状部と側壁部とによって囲まれるポット部を具備していて、このポット部には、Ｔ字型コアが収容されるものである。
【００１７】
このように構成した場合には、Ｔ字型コアとポットコアとの突き合わせによって、巻枠部が容易に形成される。また、Ｔ字型コアおよびポットコアを形成する双方の型の形状が単純化されるため、磁気素子の製造コストを一層低減することが可能となる。
【００１８】
さらに、他の発明は、上述の各発明に加えて更に、側壁部の内周面には、第１の板状部の外周面に当接して該第１の板状部の位置決めを行う係止部が設けられているものである。このように構成した場合には、第１のコアは、第２のコアに対して、係止部を介して取付固定される。そのため、第２のコアに対する第１のコアの位置決めが容易となり、磁気素子の組み立て工数を一層低減することが可能となる。
【発明の効果】
【００１９】
本発明によると、磁気素子の一層の低背化を図ることが可能となる。また、磁気素子を簡易に組み立てることが可能となる。
【発明を実施するための最良の形態】
【００２０】
以下、本発明の一実施の形態に係る、磁気素子１０について、図１および図２に基づいて説明する。図１は、磁気素子１０の構成を示す平面図であり、図２は、図１における磁気素子１０をＡ−Ａ線に沿って切断した状態を示す側断面図である。
【００２１】
なお、以下の説明においては、上方側とは、底壁部２１から見て鍔部３２が存在する側を指し、下方側とは、その逆側を指す。
【００２２】
図１および図２に示すように、本実施の形態における磁気素子１０は、ポットコア２０と、Ｔ字型コア３０と、コイル４０と、端子電極５０とを具備している。これらのうち、ポットコア２０は、第２のコアに対応するものであり、底壁部２１と、側壁部２２と、係止部２３とを有している。これらのうち、底壁部２１は、第２の板状部に対応する部分である。この底壁部２１は、本実施の形態では、その外観が略Ｄ字形状を為している。また、この底壁部２１は、所定の厚み寸法を有しているが、かかる底壁部２１の厚み寸法は、後述するＴ字型コア３０の鍔部３２の厚み寸法と同程度となっている。
【００２３】
また、側壁部２２は、上述した底壁部２１の外周縁部から上方に向かって、所定の高さだけ突出する部分である。しかしながら、本実施の形態では、側壁部２２は、底壁部２１の外周縁部のうち、一方側には設けられていない。すなわち、側壁部２２は、底壁部２１の外周縁部に沿って、略Ｕ字形状を描くように設けられているが、底壁部２１の外周縁部の一部分には、側壁部２２が存在しない状態となっている。
【００２４】
なお、以下の説明においては、底壁部２１の外周縁部のうち、側壁部２２が存在しない部分を、切欠部２４とする。また、ポットコア２０のうち、底壁部２１の上方側と側壁部２２とで囲まれる部分を、ポット部２５とする。
【００２５】
また、側壁部２２のうち、ポット部２５側の内壁面２５ａには、係止部２３が設けられている。係止部２３は、内壁面２５ａから、底壁部２１の上面に対して平行な方向に向かって突出している。この係止部２３は、鍔部３２の外周面と当接する部分である。そのため、係止部２３の先端によって描かれる軌跡は、鍔部３２の外周面の円形状の軌跡に倣うように設けられている。また、係止部２３は、内壁面２５ａからの突出の先端側に向かうにつれて、断面積が小さくなるように設けられている。そのため、鍔部３２の外周面に対して、略点接触の状態で接触することを可能としている。
【００２６】
また、ポット部２５には、第１のコアに対応するＴ字型コア３０が配置される。かかるＴ字型コア３０のポット部２５への配置により、底壁部２１、鍔部３２および柱脚部３１で囲まれる空間部分に、巻枠部３３が形成される。このＴ字型コア３０は、図１および図２に示すように、その側面形状が略Ｔ字型の外観を呈するコア部材であり、柱脚部３１と、鍔部３２とを有している。これらのうち、柱脚部３１は、円柱状の部分であり、その下端面が、ポット部２５の上面に突き合わされる。また、鍔部３２は、第１の板状部に対応する部分であり、略円盤状を為す部分である。ポット部２５にＴ字型コア３０が配置された状態では、鍔部３２の外周面は、上述の係止部２３に当接する。それによって、Ｔ字型コア３０のポット部２５における平面的な位置が定められる。
【００２７】
なお、低背化等を考慮すると、ポット部２５にＴ字型コア３０を配置した場合、側壁部２２の上面とＴ字型コア３０の上面とは、面一に設けられるのが好ましい。しかしながら、いずれか一方の上面が、他方の上面よりも突出する状態に設けられていても良い。また、ポットコア２０およびＴ字型コア３０は、ニッケル系のフェライトコア等の磁性材から構成されている。しかしながら、これらポットコア２０およびＴ字型コア３０の材質はフェライトコアには限られず、パーマロイ等、他の磁性材であっても良い。
【００２８】
また、柱脚部３１の外周面には、コイル４０が配置されている。このコイル４０は、例えばエナメル等の絶縁性の皮膜で導体を覆っている線材が巻回されることにより形成されている。この線材は、その直径が０．０５〜０．１０ｍｍ程度の丸線を巻回することにより形成されており、柱脚部３１の外周面に規定の回数だけ巻回された状態となっている。なお、本実施の形態では、コイル４０を規定の回数だけ巻回することにより、空芯状態のコイル４０を形成し、このコイル４０が備える挿通孔４２に柱脚部３１を挿入して、柱脚部３１の外周面に巻回状態のコイル４０が配置されている構成を実現している。しかしながら、柱脚部３１のうち、鍔部３２とは反対側の下端面に円盤状の治具を取り付けることにより擬似的にドラム型コアを形成し、該擬似的なドラム型コアに対して巻線機を用いて線材を巻回することにより、コイル４０を形成しても良い。
【００２９】
また、ポットコア２０には、例えば銅や銀等のような導電性の金属を材質とする一対の端子電極５０が取り付けられている。端子電極５０は、ポットコア２０のうち、底壁部２１の下面と、側壁部２２の外周面との両者に亘って存在するように折り曲げられていて、しかも、これら底壁部２１と側壁部２２に対して、例えば接着剤等を介して取り付けられている。
【００３０】
ここで、以下の説明では、端子電極５０のうち、底壁部２１の下面に位置する部分を実装端子部５１とし、この実装端子部５１から略垂直に設けられる側壁部２２に位置する部分を端末接続部５２とする。これらのうち、一対の実装端子部５１は、互いに所定の距離だけ離間するように配置されている。また、端末接続部５２は、それぞれ切欠部２４の一端側および他端側の近傍に差し掛かるように配置されている。それによって、端末接続部５２に対してコイル４０の端末４１を接続し易くなっている。
【００３１】
また、上述のＴ字型コア３０の寸法としては、柱脚部３１の長さ寸法が０．１５ｍｍ〜０．３０ｍｍ、鍔部３２の厚み寸法が０．１５ｍｍ〜０．３０ｍｍ、底壁部２１の厚み寸法が０．１５ｍｍ〜０．３０ｍｍの範囲内であれば、低背化に対応した磁気素子１０の製造において、本発明が有効なものとなる。
【００３２】
以上のような構成を有する磁気素子１０を製造する場合の製造方法について、以下に説明する。まず、線材の巻回により、空芯状態（挿通孔４２を具備する状態）のコイル４０を形成する。このコイル４０は、規定の回数だけ線材を巻回すると共に、該巻回された線材をボンディング等により固定することによって形成される。それによって、コイル４０は、型崩れが生じ難い状態となる。なお、ボンディングされた状態のコイル４０の高さ方向の寸法は、柱脚部３１の長さ寸法と略一致した状態となっている。
【００３３】
空芯状態のコイル４０の形成後、該コイル４０の挿通孔４２に、柱脚部３１を挿入し、鍔部３２にコイル４０の上端面側が接触する状態とする。その状態とした後に、コイル４０が柱脚部３１に取り付けられたままで、Ｔ字型コア３０をポット部２５に配置する。このとき、鍔部３２の外周面を係止部２３の先端に接触させる。この接触に際しては、接着剤をＴ字型コア３０に予め塗布しておいても良いし、Ｔ字型コア３０のポット部２５への配置の後に、該ポット部２５に接着剤を充填するようにしても良い。
【００３４】
また、Ｔ字型コア３０をポット部２５に配置した後に、コイル４０のそれぞれの端末４１を、一方の端末接続部５２か、または他方の端末接続部５２のいずれかに対して、例えば半田付けやレーザ溶接等の手法により接合する。以上のようにして、磁気素子１０が完成する。
【００３５】
このような構成の磁気素子１０によれば、ポットコア２０とＴ字型コア３０とは、それぞれ第２の板状部に対応する底壁部２１および第１の板状部に対応する鍔部３２を備える状態となる。このため、従来のドラム型コアのように、２つの板状部を同時に備える状態とはならない。このため、ポットコア２０およびＴ字型コア３０は、２つの板状部を同時に備えるドラム型コアを形成する場合よりも、磁性粉末のプレス加工における離型性が良好となり、プレス加工による形成が容易となる。すなわち、ポットコア２０とＴ字型コア３０のそれぞれのプレス加工と、その後の両者の突き合わせによって、ドラム型コアが具備するのと同様な巻枠部３３を形成することが可能となる。
【００３６】
ここで、切削工具および保持治具においては、低背化への対応に一定の限界があるが、上述のように、プレス加工とその後の突き合わせによって巻枠部３３を形成することができるため、本実施の形態の磁気素子１０では、より一層の低背化を図ることが可能となる。また、ポットコア２０およびＴ字型コア３０のプレス加工と、その後の両者の突き合わせによって巻枠部３３が形成される。このため、微細加工に対応した切削工具や保持治具を用いずに済む。それにより、低背化が為された磁気素子１０を製造する場合の製造コストを低減することが可能となる。
【００３７】
また、切削加工を行わないため、底壁部２１、鍔部３２、および柱脚部３１の寸法管理が容易となり、これらによって構成される巻枠部３３の寸法管理も容易となる。さらに、プレス加工により、ポットコア２０およびＴ字型コア３０を形成することができる。このため、切削によってドラム型コア（巻枠部）を形成する場合と比較して、磁気素子１０を大量に生産することが可能となる。
【００３８】
また、巻枠部３３の形成に際して、切削を行わないため、ポットコア２０およびＴ字型コア３０には、切削時のような大きな荷重が付与されない。そのため、底壁部２１および鍔部３２の薄型化を図っても、強度面での不安を低減することができる。それにより、底壁部２１および鍔部３２の一層の薄型化を図ることが可能となる。それによっても、磁気素子１０の一層の低背化を実現可能となる。
【００３９】
また、磁気素子１０は、ポットコア２０とＴ字型コア３０という、２つの磁性部材を具備している。そのため、３つ以上の磁性部材を具備する構成と比較して、位置決め固定が容易となり、磁気素子１０の組み立て工数を低減することが可能となる。そのため、磁気素子１０の製造コストを低減することが可能となる。
【００４０】
また、本実施の形態では、第１のコアとして、その外観がＴ字形状を呈するＴ字型コア３０を用いていて、第２のコア２０として、底壁部２１と側壁部２２とが一体的であると共に、これらによって囲まれるポット部２５を具備するポットコア２０を用いている。そのため、ポットコア２０とＴ字型コア３０との突き合わせによって、巻枠部３３が容易に形成される。また、ポットコア２０およびＴ字型コア３０を形成する双方の型の形状が単純化されるため、磁気素子１０の製造コストを一層低減することが可能となる。
【００４１】
さらに、ポット部２５の内壁面２５ａには、係止部２３が設けられている。そのため、Ｔ字型コア３０は、ポットコア２０に対して、係止部２３を介して取付固定される。それにより、ポットコア２０に対するＴ字型コア３０の位置決めが容易となり、磁気素子１０の組み立て工数を一層低減することが可能となる。
【００４２】
以上、本発明の一実施の形態に係る磁気素子１０について説明したが、本発明の磁気素子は、上述した磁気素子１０に限られるものではなく、種々変形可能である。その例を、図３〜図７に示す。
【００４３】
図３に示す磁気素子１１では、ポットコア２００の形状が、上述の磁気素子１０におけるポットコア２０とは異なっていて、その平面形状が略矩形状を為している。そして、この矩形形状のポットコア２００においては、その長手方向の両端側には、それぞれ側壁部２０２が配置されている。しかしながら、短手方向の両端側には、切欠部２０４が設けられていて、側壁部２０２が存在していない。なお、Ｔ字型コア３０の構成は、上述の磁気素子１０と同様である。また、ポットコア２００は、上述の実施の形態におけるポットコア２０と同様に、底壁部２０１、係止部２０３、ポット部２０５、および内壁面２０５ａを有している。
【００４４】
また、図４に示す磁気素子１１では、ポットコア２１０およびＴ字型コア３００の両方の平面形状が、略矩形状を為している。このうち、矩形形状のポットコア２１０においては、その長手方向の両端側に、それぞれ側壁部２１２が配置されている。この側壁部２１２は、側壁部２２，２０２とは異なる形状を為している。すなわち、側壁部２１２は、矩形状のＴ字型コア３００に倣う形状とする必要性から、その外観が略矩形状となっている。なお、ポットコア２１０の短手方向の両端側には、切欠部２１４が設けられ、側壁部２１２が存在していない。また、Ｔ字型コア３００は、鍔部３０２が略矩形状をなすものの、柱脚部３０１は、上述の柱脚部３１と同様に、円柱状となっている。その他、ポットコア２１０は、上述の実施の形態におけるポットコア２０等と同様に、底壁部２１１、係止部２１３、ポット部２１５、および内壁面２１５ａを有している。
【００４５】
さらに、図５に示す磁気素子１３では、ポットコア２２０の形状は、上述の磁気素子１１と同様に、その平面形状が略矩形状を為している。しかしながら、ポットコア２２０においては、その長手方向の一端側にのみ、側壁部２２２が配置されている。なお、ポットコア２２０の長手方向の他端側、およびポットコア２２０の短手方向の両端側には、切欠部２０４が存在している。すなわち、ポットコア２２０の三方側に、切欠部２２４が配置された状態となっている。また、Ｔ字型コア３０の構成は、上述の磁気素子１０と同様である。また、ポットコア２２０は、上述の実施の形態におけるポットコア２０と同様に、底壁部２２１、係止部２２３、ポット部２２５、および内壁面２２５ａを有している。
【００４６】
また、図６に示す磁気素子１４では、ポットコア２３０は、その平面形状が略正方形状を為している。また、かかる正方形状における対角線方向の両端側に、側壁部２３２が配置されている。そのため、側壁部２３２は、上述の側壁部２０等と比較して、平面形状における面積が最も小さい状態となっている。なお、ポットコア２３０の平面形状における側壁部２３２以外の部分は、切欠部２３４となっている。また、Ｔ字型コア３０の構成は、上述の磁気素子１０と同様である。また、ポットコア２３０は、上述の実施の形態におけるポットコア２０と同様に、底壁部２３１、係止部２３３、ポット部２３５、および内壁面２３５ａを有している。
【００４７】
さらに、図７に示す磁気素子１５では、ポットコア２４０側に柱脚部２４６が設けられる構成となっている。そのため、この磁気素子１５では、Ｔ字型コアが存在せず、該Ｔ字型コアの代わりに、円盤状の蓋状コア３１０が設けられている。なお、この蓋状コア３１０は、第１のコアおよび第１の板状部材に対応する。また、ポットコア２４０のその他の部分は、上述の磁気素子１０〜１４と同様の構成を採用することが可能である。
【００４８】
以上のような、図３〜図７に示す各磁気素子１１〜図１５においても、上述の実施の形態における磁気素子１０と同様に、ポットコア２００，２１０，２２０，２３０，２４０をプレス加工によって形成することが可能であると共に、Ｔ字型コア３００または蓋状コア３１０も、プレス加工によって形成することが可能である。また、ポットコア２００，２１０，２２０，２３０，２４０と、Ｔ字型コア３００または蓋状コア３１０の突き合わせのみで、巻枠部３３を形成することが可能である。そのため、磁気素子１１〜１５においても、低背化が実現可能である。
【００４９】
また、上述した実施の形態では、コイル４０は、丸線を線材として巻回することにより形成されている。しかしながら、コイル４０を形成する線材は、丸線には限られず、平角線等、他の形状の線材を用いても良い。
【００５０】
また、上述の実施の形態では、柱脚部３１は、円柱形状に設けられている。しかしながら、柱脚部３１は、円柱形状には限られず、四角柱形状、三角柱形状等、他の形状を採用しても良い。
【００５１】
さらに、磁気素子１０他としては、１つのコイル４０を具備する構成のみならず、リング状の別途の枠部材を挟んで、２つ以上のコイル４０が配置されるようにしても良い。
【産業上の利用可能性】
【００５２】
本発明の磁気素子は、電気機器の分野において利用することができる。
【図面の簡単な説明】
【００５３】
【図１】本発明の一実施の形態に係る磁気素子の構成を示す平面図である。
【図２】図１の磁気素子においてＡ−Ａ線に沿って切断した状態を示す側断面図である。
【図３】本発明の変形例に係り、ポットコアの平面形状が略矩形状であると共に、該ポットコアの長手方向の両端に側壁部が配置されている磁気素子の構成を示す平面図である。
【図４】本発明の変形例に係り、ポットコアおよびＴ字型コアの平面形状が共に略矩形状であると共に、該ポットコアの長手方向の両端に側壁部が配置されている磁気素子の構成を示す平面図である。
【図５】本発明の変形例に係り、ポットコアの平面形状が略矩形状であると共に、該ポットコアの長手方向の一端側にのみ側壁部が配置されている磁気素子の構成を示す平面図である。
【図６】本発明の変形例に係り、ポットコアの平面形状が略正方形状であると共に、このポットコアの平面形状の対角線方向の両端に側壁部が配置されている磁気素子の構成を示す平面図である。
【図７】本発明の変形例に係り、柱脚部がポットコア側に取り付けられていると共に、この柱脚部に対して平板コアが突き合わされた状態で配置されている構成を示す側断面図である。
【符号の説明】
【００５４】
１０〜１５…磁気素子
２０，２００，２１０，２２０，２３０，２４０…ポットコア（第２のコアに対応）
２１，２０１，２１１，２２１，２３１，２４１…底壁部（第２の板状部に対応）
２２，２０２，２１２，２２２，２３２，２４２…側壁部
２３，２０３，２１３，２２３，２３３，２４３…係止部
２４，２０４，２１４，２２４，２３４，２４４…切欠部
２５，２０５，２１５，２２５，２３５，２４５…ポット部
３０，３００，３１０…Ｔ字型コア（第１のコアに対応）
３１，３０１…柱脚部
３２…鍔部（第１の板状部に対応）
４０…巻線
４１…端末
５０…端子電極
５１…実装端子部
５２…端末接続部
【図１】
2007019175.tif 000003
【図２】
2007019175.tif 000004
【図３】
2007019175.tif 000005
【図４】
2007019175.tif 000006
【図５】
2007019175.tif 000007
【図６】
2007019175.tif 000008
【図７】
2007019175.tif 000009